(57)【要約】 【課題】シートの曲面部分において表皮つなぎ合わせ部分に生ずるうねりやシングル・ステッチ・ラインの蛇行を防止できて見映えを向上でき、そして、着座者に異物感を与えずに玉ぶち同様の意匠効果を得てさらに見映えの向上を図る。 【解決手段】二枚の表皮片１１、１２が、それぞれの縫い代１３、１４をテープ１５の両側部分１６、１７に対応的にのせてその縫い代１３、１４でそのテープ上１５に縫い合わせられ、そして、折り返し曲げされて適宜の間隔で互いに離間され、そして、ダブル・ステッチ１９、１９でそのテープ１５の両側部分１６、１７上に縫い付けられてダブル・ステッチ・ライン２０、２０を付けられ、そしてそれに伴ってそのテープ１５の中間部分１８に意匠溝ライン２２を形成する。 【選択図】図２
2006116062.tif 000002
【特許請求の範囲】
【請求項１】
二枚の表皮片が、それぞれの縫い代をテープの両側部分に対応的にのせてその縫い代でそのテープ上に縫い合わせられ、そして、折り返し曲げされて適宜の間隔で互いに離間され、そして、ダブル・ステッチでそのテープの両側部分上に縫い付けられてダブル・ステッチ・ラインを付けられ、そしてそれに伴ってそのテープの中間部分に意匠溝ラインを形成するところの自動車シートに用いる表皮。 
【発明の詳細な説明】
【技術分野】
【０００１】
この発明は、自動車シートに用いる表皮に関し、そして詳細には、シートの曲面部分の仕上がりを改善し、そして、玉ぶちのような意匠効果を得るところの自動車シートに用いる表皮に関する。 
【背景技術】
【０００２】
自動車シートは、表皮にシングル・ステッチを施して意匠効果を得る場合がある。 
その表皮では、互いに隣り合う二枚の表皮片が互いに表面を重ね合わせて両方の縫い代を縫ってつなぎ合わせられ、そして、その二枚の表皮片の一方がその縫い合わせられた両縫い代側に折り曲げられてシングル・ステッチでその両縫い代に縫い付けられるので、その表皮がシート・フレームに組み付けられたパッドに被せられてそのシート・フレームに止められると、その表皮はそのシートの曲面部分においてうねりを生じ、また、そのシングル・ステッチに蛇行を生じて見映えが悪くなる。 
また、自動車シートには、縫目に玉ぶちを付ける表皮が用いられる。その玉ぶちは芯材としての玉芯を入れて使用されるので、その芯材が着座者に異物感を与える。 
【特許文献１】特開２００１−２６９４９３公報
【特許文献２】実用新案登録第２５９７４８０号公報
【発明の開示】
【発明が解決しようとする課題】
【０００３】
この発明の課題は、シートの曲面部分において表皮つなぎ合わせ部分に生ずるうねりやシングル・ステッチ・ラインの蛇行を防止できて見映えを向上でき、そして、着座者に異物感を与えずに玉ぶちのような意匠効果を得てさらに見映えを良くするところの自動車シートに用いる表皮の提供にある。 
【課題を解決するための手段】
【０００４】
この発明は、二枚の表皮片が、それぞれの縫い代をテープの両側部分に対応的にのせてその縫い代でそのテープ上に縫い合わせられ、そして、折り返し曲げされて適宜の間隔で互いに離間され、そして、ダブル・ステッチでそのテープの両側部分上に縫い付けられてダブル・ステッチ・ラインを付けられ、そしてそれに伴ってそのテープの中間部分に意匠溝ラインを形成する。 
【発明の効果】
【０００５】
この発明では、シートの曲面部分において表皮つなぎ合わせ部分に生ずるうねりやシングル・ステッチ・ラインの蛇行を防止されて見映えが向上され、そして、その意匠溝ラインによって着座者に異物感が与えられずに玉ぶちのような意匠効果が得られてさらに見映えが良くなり、そして、自動車シートの外観品質向上が図られ、さらには、そのテープの素材は表皮のそれと同じでも良いが、表皮に比べて物性や色を変えることによって意匠性が高められる。 
【発明を実施するための最良の形態】
【０００６】
二枚の表皮片が、素材に天然皮革、合成皮革などを用い、テープもその表皮片に合わせて同じ素材が用いられる。その表皮片が合成皮革を用いたので、そのテープはその表皮片と同じ合成皮革を用いた。 
その二枚の表皮片の一方が、縫い代案内を用いて縫い代をそのテープの片側部分にのせてその縫い代でそのテープ上に縫い合わせられ、そして、その二枚の表皮片の他方が、縫い代重ね合わせ案内を用いて縫い代をそのテープの他側部分にのせてその縫い代でそのテープ上に縫い合わせられ、そして、折り返し曲げされ、そして、その二枚の表皮片が、二針ミシンに一対の表皮案内および意匠溝幅の案内板を用いてダブル・ステッチで両側部分上に縫い付けられる。 
【実施例１】
【０００７】
以下、特定されて図示された具体例に基づいて、この発明の自動車シートに用いる表皮を説明するに、図１ないし図５は、乗用車のフロント・シートのシート・クッション４０に活用されるところのこの発明の自動車シートに用いる表皮の具体例１０を示し、そして、その表皮１０では、互いに隣り合う二枚の表皮片１１、１２が、それぞれの縫い代１３、１４をテープ１５の両側部分１６、１７に対応的にのせてその縫い代１３、１４でそのテープ１５上に縫い合わせられ、そして、折り返し曲げされて適宜の間隔で互いに離間され、そして、ダブル・ステッチ１９、１９でそのテープ１５のその両側部分１６、１６上に縫い付けられてダブル・ステッチ・ライン２０、２０を付けられ、そしてそれに伴ってそのテープ１５の中間部分１８に意匠溝２１が形成される。その意匠溝２１はその表皮１０に意匠溝ライン２２として機能する。 
【０００８】
その二枚の表皮片１１、１２およびテープ１５は同じ合成皮革を用い、先ず、図３に示されたようにその二枚の表皮片１１、１２の一方１１が、縫い代案内３０を用いてその縫い代１３をそのテープ１５のその両側部分１６、１７の片側１６にのせて揃えられ、その縫い代１３でそのテープ１５上に縫い合わせられ、そして、折り返し曲げされて反転され、そして次に、図４に示されたように、その二枚の表皮片１１、１２の他方１２が、縫い代重ね合わせ案内３１を用いてその縫い代１４をそのテープ１５のその両側部分１６、１７の他側１７にのせて揃えられ、その縫い代１４でそのテープ１５上に縫い合わせられ、そして、折り返し曲げされて反転され、そして引き続いて図５に示されたように、一対の表皮案内３３、３３および意匠溝幅の案内板３４を組み合わせるところの二針ミシン３２を用いてその二枚の表皮片１１、１２がダブル・ステッチ１９、１９でそのテープ１５のその両側部分１６、１７上に縫い付けられる。 
【０００９】
その一対の表皮案内３３、３３は互いに向かい合って配置され、そして、エア・シリンダ（図示せず）で互いに近づき遠ざかる方向に往復移動され、また、その案内板３４は玉ぶちに相当する板厚に設定され、そして、その意匠溝ライン２２の溝幅をその玉ぶちに合わせてその玉ぶち同様にその意匠溝ライン２２を機能させる。 
【００１０】
したがって、この表皮１０では、そのシート・クッション４０の曲面部分４１において表皮つなぎ合わせ部分に生ずるうねりやダブル・ステッチ・ライン２０、２０の蛇行が防止されて見映えが向上され、そして、芯材がその表皮つなぎ合わせ部分から省かれて着座者に異物感を与えずにその意匠溝ライン２２によって玉ぶち同様の意匠効果が得られ、見映えがさらに良くなり、そして、そのフロント・シートの外観品質が向上され、そしてさらには、そのテープ１５の素材はその表皮１０のそれと同じでも良いが、そのテープ１５は、その表皮１０に比べて物性や色を変えた素材を用いることによって意匠性が高められる。 
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１２】
上述から理解されるように、この発明の自動車シートに用いる表皮は、二枚の表皮片が、それぞれの縫い代をテープの両側部分に対応的にのせてその縫い代でそのテープ上に縫い合わせられ、そして、折り返し曲げされて適宜の間隔で互いに離間され、そして、ダブル・ステッチでそのテープの両側部分上に縫い付けられてダブル・ステッチ・ラインを付けられ、そしてそれに伴ってそのテープの中間部分に意匠溝ラインを形成するので、この発明の自動車シートに用いる表皮では、シートの曲面部分において表皮つなぎ合わせ部分に生ずるうねりやシングル・ステッチ・ラインの蛇行が防止されて見映えが向上され、そして、芯材がその表皮つなぎ合わせ部分から省かれて着座者に異物感を与えずにその意匠溝ラインによって玉ぶち同様の意匠効果が得られ、見映えがさらに良くなり、そして、シートの外観品質向上が図られ、そしてさらには、そのテープの素材は表皮の素材と同じでも良いのであるが、そのテープがその表皮の素材に比べて物性や色を変えた素材を用いることによって意匠性が高められ、その結果、自動車シートにとって非常に有用で実用的である。 
【図面の簡単な説明】
【００１３】
【図１】この発明の自動車シートに用いる表皮の具体例で覆われた乗用車のフロント・シートのシート・クッションを示した斜視図である。
【図２】図１の２−２線に沿って断面して示した斜視図である。
【図３】縫い代案内を用いてミシンで一方の表皮片およびテープの縫い合わせ作業を示した斜視図である。
【図４】縫い代重ね合わせ案内を用いてミシンで他方の表皮片およびテープの縫い合わせ作業を示した斜視図である。
【図５】一対の表皮案内および意匠溝幅の案内板を組み合わせるところの二針ミシンを用いてその両表皮片にダブル・ステッチ掛けしながら意匠溝を形成する作業を示した斜視図である。
【符号の説明】
【００１４】
１１    表皮片 
１２    表皮片 
１３    縫い代 
１４    縫い代 
１５    テープ 
１６    側部分 
１７    側部分 
１８    中間部分 
１９    ダブル・ステッチ 
２０    ダブル・ステッチ・ライン 
２１    意匠溝 
２２    意匠溝ライン 
３０    縫い代案内 
３１    縫い代重ね合わせ案内 
３２    二針ミシン 
３３    表皮案内 
３４    案内板 
４０    シート・クッション 
【図１】
2006116062.tif 000003
【図２】
2006116062.tif 000004
【図３】
2006116062.tif 000005
【図４】
2006116062.tif 000006
【図５】
2006116062.tif 000007